(57)【要約】【課題】多種多様な商品を販売することができる店舗を安価に構築すること。【解決手段】店舗に、非磁性体商品に付したバーコードを読み取り、非磁性体商品の代金を算出するバーコードリーダ４１と、非磁性体商品の代金を精算する金銭処理機４４と、非磁性体商品に付した磁性を帯びた磁性体からなる防犯ラベルを消磁して無効化するラベル失効器４３とを備えたレジスター４と、防犯ラベルの磁性を検知するラベル検知センサ５１と、ラベル検知センサ５１が防犯ラベルの磁性を検知した場合に警報を発する警報器５２とを備えたゲート５と、磁性体商品を販売する自動販売機６とを設置した。【選択図】        図１
2006072712.tif 000002
【特許請求の範囲】
【請求項１】
非磁性体商品に付したバーコードを読み取り、前記非磁性体商品の代金を算出する算出手段と、前記非磁性体商品の代金を精算する精算手段と、非磁性体商品に付した磁性を帯びた磁性体からなる防犯ラベルを消磁して無効化する無効化手段とを備えたレジスターと、
防犯ラベルの磁性を検知する検知手段と、該検知手段が防犯ラベルの磁性を検知した場合に警告する警告手段とを備えたゲートと、
磁性体商品を販売する自動販売機と
を設置したことを特徴とする店舗。
【請求項２】
前記レジスターと前記自動販売機とをＰＯＳシステムに接続し、販売時点管理したことを特徴とする請求項１に記載の店舗。
【発明の詳細な説明】
【技術分野】
【０００１】
本発明は、商品を販売する店舗に関し、特に、店員の手を介することなく、商品の代金の精算を可能にした店舗に関するものである。
【背景技術】
【０００２】
万引き等の盗難被害を防止すべく、商品に磁性を帯びた磁性体からなる防犯ラベルを付す一方、出口に防犯ラベルの磁性を検知するゲートを設置した店舗が知られている。この店舗では、商品の代金を精算することなく商品を店舗の外に持ち出した場合に、ゲートで防犯ラベルの磁性を検知して警報を発する一方、商品の代金を精算した商品は防犯ラベルの磁性を消磁してゲートで検知しないようにしている。ここで、商品の代金の精算を容易にすべく、商品に付したバーコードを識別すると同時に防犯ラベルの磁性を消磁する一方、キャッシュカードを用いて利用者が自ら商品の代金を精算する発明が提案されている（たとえば、特許文献１参照）。この発明を用いれば、店員の手を介することなく、商品の代金の精算を可能とする、いわゆる無人店舗が成立する。
【０００３】
【特許文献１】特開平６−２０３２７５号公報
【発明の開示】
【発明が解決しようとする課題】
【０００４】
しかしながら、缶入り商品、アルミフィルムで包装した商品等のように、金属製の包装容器に収容した商品等の磁性体商品に磁性を帯びた磁性体からなる防犯ラベルを付しても、防犯ラベルの磁性を検知できないために、磁性体商品を販売することができなかった。
【０００５】
本発明は、上記実情に鑑みて、磁性体商品をも含めた多種多様な商品を販売することができる店舗を安価に構築することを目的とする。
【課題を解決するための手段】
【０００６】
上記の目的を達成するために、本発明の請求項１に係る店舗は、非磁性体商品に付したバーコードを読み取り、前記非磁性体商品の代金を算出する算出手段と、前記非磁性体商品の代金を精算する精算手段と、非磁性体商品に付した磁性を帯びた磁性体からなる防犯ラベルを消磁して無効化する無効化手段とを備えたレジスターと、防犯ラベルの磁性を検知する検知手段と、該検知手段が防犯ラベルの磁性を検知した場合に警告する警告手段とを備えたゲートと、磁性体商品を販売する自動販売機とを設置したことを特徴とする。
【０００７】
また、本発明の請求項２に係る店舗は、上記請求項１において、前記レジスターと前記自動販売機とをＰＯＳシステムに接続し、販売時点管理したことを特徴とする。
【発明の効果】
【０００８】
本発明に係る店舗では、非磁性体商品の代金をレジスターで精算可能にする一方、磁性体商品を自動販売機で販売可能にしたので、磁性体商品をも含めた多種多様な商品を販売できるという効果を奏する。また、防犯ラベルが磁性体であるから、万引き等の盗難行為を抑制しつつ、商品の販売コストを安価にできるという効果を奏する。
【０００９】
さらに、レジスターと自動販売機とをＰＯＳシステムに接続し、販売時点管理したので、商品の在庫情報等を正確に把握できるという効果を奏する。
【発明を実施するための最良の形態】
【００１０】
以下に添付図面を参照して、本発明に係る店舗の好適な実施例を詳細に説明する。なお、この実施例によりこの発明が限定されるものではない。
【実施例１】
【００１１】
まず、本発明の実施例１に係る店舗の構成を図１に基づいて説明する。ここで、図１は、本発明の実施例１に係る店舗を示す模式図である。
【００１２】
店舗内には、商品陳列棚２およびショーケース３と、レジスター４と、ゲート５と、自動販売機６とが設置してあり、商品陳列棚２およびショーケース３を設置した領域からはレジスター４の近傍に設置したゲート５を通ってのみ自動販売機を設置した領域、あるいは店舗外に出場可能である。商品陳列棚２には、たとえば、非磁性体商品Ａ，Ｂが収容してあり、ショーケース３には、たとえば、非磁性体商品Ｃが収容してある。非磁性体商品Ａ，Ｂ，Ｃは、商品自体が非磁性体の商品のほか、商品を収容した包装容器が非磁性体であるものをいい、包装容器がスチール缶であるものやアルミ缶であるもの、アルミフィルムで包装したものを含まない。
【００１３】
これらの非磁性体商品Ａ，Ｂ，Ｃには、それぞれ商品を識別するバーコードと防犯ラベル７とが付してある。バーコードは識別符合として機能するものであり、商品自体に貼付したもの、商品の包装容器に貼付したもののほか、商品の包装容器に印刷したもの、商品に吊り下げたタグ状のものを含んでいる。バーコードは、メーカーコード、アイテムコード、チェックデジットを表し、これらの情報から商品がいかなるメーカーのもので、いかなるアイテムに属するか識別可能である。
【００１４】
防犯ラベル７は、防犯符合として機能するものであり、本実施例では、磁性を帯びた磁性体を利用している。そして、防犯ラベル７が磁性を帯びている場合には、防犯符合として機能し、防犯ラベル７の磁性が消磁された場合には防犯符合としての機能を失効する。防犯ラベル７は、商品自体または商品の包装容器に貼付するラベル状のもののほか、タグを吊り下げるワイヤー状に形成したものをも含んでいる。
【００１５】
また、防犯ラベル７は単独で商品に付してもよいが、バーコードを付したバーコードラベルと重ねて付してもよい。この場合には、バーコードの印刷面が上になるようにバーコードラベルを防犯ラベル７に重ねて付す必要がある。
【００１６】
レジスター４は、上述した非磁性体商品を精算処理するものであり、バーコードリーダ４１、データベース４２、ラベル失効器４３、金銭処理機４４、レシート発行機４５、制御部４６を有している。
【００１７】
バーコードリーダ４１は、識別器として機能するものであり、非磁性体商品に付したバーコードを読み取り、いかなる商品であるかを識別可能である。したがって、読み取ったバーコードからメーカーコード、アイテムコード、チェックデジットを識別可能である。
【００１８】
データベース４２には、予め、メーカーコード、アイテムコードと関連づけて、メーカー名、商品の品目、商品の代金が記憶してある。したがって、メーカーコード、アイテムコードに基づいて商品の品目、値段が検索可能である。
【００１９】
ラベル失効器４３は、上述した非磁性体商品に付した防犯ラベル７を無効化するものであり、防犯ラベル７の磁性を消磁することにより防犯ラベル７が無効化する。
【００２０】
金銭処理機４４は、非磁性体商品の代金を精算するものであり、紙幣および硬貨を受け入れて非磁性体商品の代金を精算し、釣り銭がある場合には釣り銭を返却する。したがって、商品の代金を表示する代金表示部（図示せず）と、投入した金銭価値を表示する投入金表示部（図示せず）とを備えている。なお、金銭処理機４４は、クレジットカード、プリペイカード等のカードにより非磁性体商品の代金を精算するものであってもよい。
【００２１】
レシート発行機４５は、レシートを発行するものであり、代金の精算が終了した場合にレシートの発行が可能である。
【００２２】
制御部４６は、レジスター４を構成するバーコードリーダ４１、データベース４２、ラベル失効器４３、金銭処理機４４、レシート発行機４５の制御を司るものであり、バーコードリーダ４１に提示した非磁性体商品に付したバーコードから識別したメーカーコード、アイテムコードに基づいて、データベース４２を検索することにより、商品の値段を抽出するとともに、商品の値段を加算して代金を算出する。そして、制御部４６は、ラベル失効器４３により非磁性体商品に付した防犯ラベル７を消磁して無効化する。また、制御部４６は、金銭処理機４４により代金を精算した後に、レシート発行機４５によりレシートを発行する。
【００２３】
また、レジスターの制御部４６は、ＰＯＳ（Point Of Sales）システム８に接続してある。このため、レジスター４で精算処理した商品の種類、値段、個数等を管理して、店舗内の在庫情報、売れ筋商品等を随時把握可能である。
【００２４】
ゲート５は、商品の代金を精算することなく店舗の外に商品を持ち出すことを監視するものであり、ラベル検知センサ５１、警報器５２、通行検知センサ５３を備えている。
【００２５】
ラベル検知センサ５１は、非磁性体商品に付した防犯ラベル７を無効化していない場合に、防犯ラベル７を検知するものであり、対向する一対の磁気センサにより構成してある。そして、この磁気センサ間に磁界を形成し、この磁界を防犯ラベル７が通過して磁界に変化があった場合に、代金が未精算の非磁性体商品が通過したと判断する。一方、磁気センサ間を無効化した防犯ラベル７が通過した場合には、磁界に変化が生じないのでラベル検知センサ５１が検知することはない。
【００２６】
ラベル検知センサ５１には、警報器５２が接続してあり、ラベル検知センサ５１が防犯ラベル７を検知した場合には警報器５２が鳴動する。
【００２７】
通行検知センサ５３は、利用者がゲート５を通過したか否かを検出するものであり、レジスター４の制御部４６と、警報器５２とに接続してある。そして、レジスター４と連携し、非磁性体商品の代金の精算を行うことなく、ゲート５を通過した場合に、警報器５２が鳴動する。
【００２８】
したがって、バーコードリーダ４１で非磁性体商品のバーコードを読み取るとともに、ラベル失効器４３で防犯ラベルを無効化した後、金銭処理機４４で非磁性体商品の代金を精算することなく出場した場合であっても、不正行為として取り締まることが可能である。
【００２９】
自動販売機６は、ゲート５で防犯ラベル７を検出できない磁性体商品Ｄ，Ｅ，Ｆ等を販売するものであって、既知の構成を有したものである。自動販売機６の制御部６１は、レジスター４と同様に、ＰＯＳシステム８に接続してあるので、自動販売機６で販売した商品の種類、値段、個数等を管理して、店舗内に設置した自動販売機６の在庫情報、売れ筋商品等が随時把握可能である。
【００３０】
次に、本発明の実施例１に係る店舗における販売処理について説明する。なお、図２は、レジスターおよびゲートの作用を説明するフローチャートである。
【００３１】
非磁性体商品を購入する場合には、商品陳列棚２あるいはショーケース３から非磁性体商品を取り出してレジスター４で、非磁性体商品の代金の精算処理を行う必要がある。
【００３２】
精算処理を行う場合には、図２に示すように、まず、商品に付したバーコードをバーコードリーダ４１に読み取らせて、バーコードのメーカーコード、アイテムコードを識別する（ステップＳ１：Ｙｅｓ）。そして、制御部４６がメーカーコード、アイテムコードに基づいてデータベース４２を検索し、非磁性体商品の値段を抽出するとともに、ラベル失効器４３により防犯ラベル７を無効化する（ステップＳ２，ステップＳ３）。その後、抽出した非磁性体商品の値段を加算して非磁性体商品の代金を算出し、代金表示部（図示せず）に表示する（ステップＳ４）。なお、一つ目の非磁性体商品のバーコードを識別させた場合には、その非磁性体商品の値段が非磁性体商品の代金となる。
【００３３】
複数の非磁性体商品を購入する場合には、非磁性体商品に付したバーコードをバーコードリーダ４１に順次読み取らせて、識別するので（ステップＳ５：Ｙｅｓ）、磁性体商品の値段の抽出（ステップＳ２）、防犯ラベル７の失効（ステップＳ３）、代金の算出（ステップＳ３）を繰り返すことになる。
【００３４】
購入する全ての非磁性体商品に付したバーコードを読み取らせて識別した後に（ステップＳ５：Ｎｏ）、金銭処理機４４を用いて代金の収受を行う。代金の収受が終了すると（ステップＳ６：Ｙｅｓ）、レシート発行機４５がレシートを発行し（ステップＳ７）、非磁性体商品の代金の精算処理が終了する。このように、レジスター４で非磁性体商品の代金の精算処理を終了した後に、ゲート５を通って自動販売機６を設置した領域、あるいは店舗外に出場しても、防犯ラベル７は無効化しているので、警報器５２が鳴動することはない。
【００３５】
一方、代金の収受を行うことなく（ステップＳ６：Ｎｏ）、ゲート５を通って自動販売機６を設置した領域あるいは店舗外に出場しようとした場合には、レジスター４の制御部４６とゲート５の通行検知センサ５３とが連携して、未精算通行を検知するので（ステップＳ８：Ｙｅｓ）、警報器５２が鳴動することになる（ステップＳ９）。
【００３６】
他方、商品陳列棚２あるいはショーケース３から非磁性体製品を取り出した後に、レジスター４で何等処理することなく、ゲート５を通って自動販売機６を設置した領域、あるいは店舗外に出場しようとした場合には、防犯ラベル７を無効化していないので、ラベル検知センサ５１が防犯ラベル７を検知して、警報器５２が鳴動することになる。
【００３７】
磁性体商品を購入する場合には、従来と同様に、自動販売機６を操作して購入できる。
【００３８】
上述した実施例１に係る店舗によれば、非磁性体商品の代金はレジスター４で精算可能にする一方、磁性体商品を自動販売機６で販売可能にしたので、磁性体商品をも含めた多種多様な商品を販売できる。また、防犯ラベル７が磁性体であるから、万引き等の盗難被害を抑制しつつ、商品の販売コストを安価にできる。
【００３９】
また、レジスター４と自動販売機６とがそれぞれＰＯＳシステム８に接続してあるので、レジスター４で精算処理した非磁性体商品の情報、自動販売機６で販売した商品の情報はＰＯＳシステム８で管理され、在庫量、売れ筋商品を正確に把握することができる。
【００４０】
なお、上述した実施例１に係る店舗に設置したレジスター４では、商品に付したバーコードの識別と防犯ラベル７の無効化を同時に行うものとしたが、代金の精算の終了を条件に防犯ラベル７の無効化を行うものとしてもよい。この場合には、バーコードを識別した商品と防犯ラベル７を無効化した商品とが一致するように、バーコードを識別後、防犯ラベル７の無効化が終了するまで、商品に関与できないようにレジスター４を構成することが好ましい。
【実施例２】
【００４１】
本発明の実施例２に係る店舗の構成について説明する。なお、図３は、本発明の実施例２に係る店舗を示す模式図である。また、レジスター、ゲートの構成以外は、実施例１に係る店舗の構成と異なるところはないので、同一の符合を付して説明を省略する。
【００４２】
実施例２に係る店舗のレジスター１４は、実施例１に係る店舗のレジスター４と同様、非磁性体商品を精算処理するものであり、カード処理機１４４、バーコードリーダ１４１、データベース１４２、ラベル失効器１４３、レシート発行機１４５、制御部１４６を有している。
【００４３】
カード処理機１４４は、クレジットカードあるいはプリペイドカード等を内部に取り込んで、非磁性体商品の代金を精算するものであり、非磁性体商品の代金の精算が終了した後、これらのカードは返却される。なお、商品の代金を表示する代金表示部（図示せず）を備え、代金を表示可能である。
【００４４】
バーコードリーダ１４１は、識別器として機能するものであり、非磁性体商品に付したバーコードを読み取り、いかなる商品であるかを識別可能である。したがって、読み取ったバーコードからメーカーコード、アイテムコード、チェックデジットを識別可能である。
【００４５】
データベース１４２には、予め、メーカーコード、アイテムコードと関連づけて、メーカー名、商品の品目、商品の代金が記憶してある。したがって、メーカーコード、アイテムコードに基づいて商品の品目、値段が検索可能である。
【００４６】
ラベル失効器１４３は、上述した非磁性体商品に付した防犯ラベル７を無効化するものであり、防犯ラベル７の磁性を消磁することにより防犯ラベル７が無効化する。
【００４７】
レシート発行機１４５は、レシートを発行するものであり、代金の精算が終了した場合にレシートの発行が可能である。
【００４８】
制御部１４６は、レジスター４を構成するカード処理機１４４、バーコードリーダ１４１、データベース１４２、ラベル失効器１４３、レシート発行機１４５の制御を司るものであり、バーコードリーダ１４１に提示した非磁性体商品に付したバーコードから識別したメーカーコード、アイテムコードに基づいて、データベース１４２を検索することにより、商品の代金が抽出する。そして、制御部１４６は、ラベル失効器１４３により非磁性体商品に付した防犯ラベル７を消磁して無効化するとともに、カード処理機１４４により代金を精算する。その後、レシート発行機１４５によりレシートを発行する。
【００４９】
また、レジスターの制御部１４６は、ＰＯＳシステム８に接続してある。このため、レジスター１４で精算処理した商品の種類、値段、個数等を管理して、店舗内の在庫情報、売れ筋商品等を把握可能である。
【００５０】
ゲート１５は、商品の代金を精算することなく店舗の外に商品を持ち出すことを監視するものであり、ラベル検知センサ１５１、警報器１５２を備えている。
【００５１】
ラベル検知センサ１５１は、非磁性体商品に付した防犯ラベル７を無効化していない場合に、防犯ラベル７を検知するものであり、対向する一対の磁気センサにより構成してある。そして、この磁気センサ間に磁界を形成し、この磁界を防犯ラベル７が通過して磁界に変化があった場合に、代金が未精算の非磁性体商品が通過したと判断する。一方、磁気センサ間を無効化した防犯ラベル７が通過した場合には、磁界に変化が生じないのでラベル検知センサ１５１が検知することはない。
【００５２】
ラベル検知センサ１５１には、警報器１５２が接続してあり、ラベル検知センサ１５１が防犯ラベル７を検知した場合には警報器１５２が鳴動する。
【００５３】
次に、本発明の実施例２に係る店舗におけるレジスターの処理について説明する。なお、図４は、図３に示したレジスターの処理を説明するフローチャートである。
【００５４】
非磁性体商品を購入する場合には、商品陳列棚２あるいはショーケース３から非磁性体商品を取り出してレジスター４で、非磁性体商品の代金の精算処理を行う必要がある。
【００５５】
精算処理を行う場合には、図２に示すように、まず、カード処理機１４４にクレジットカードあるいはプリペイドカードを挿入する（ステップＳ１１：ＹＥＳ）。次に、商品に付したバーコードをバーコードリーダ４１に読み取らせて、バーコードのメーカーコード、アイテムコードを識別する（ステップＳ１２：Ｙｅｓ）。そして、制御部１４６がメーカーコード、アイテムコードに基づいてデータベース１４２を検索し、非磁性体商品の値段を抽出して（ステップＳ１３）代金として代金表示部（図示せず）に表示するとともに（ステップＳ１４）、ラベル失効器４３により防犯ラベル７を無効化する（ステップＳ１５）。その後、この代金はカード処理機１４４により、クレジットカードあるいはプリペイドカードを用いて精算する（ステップＳ１６）。そして、カード処理機１４４がカードを返却するとともに（ステップＳ１７）、レシート発行機１４５がレシートを発行して（ステップＳ１８）、非磁性体商品の代金の精算処理が終了する。複数の非磁性体商品を購入する場合には、上記の処理を繰り返せばよい。
【００５６】
なお、非磁性体商品を精算処理する度にカード処理機１４４にカードを挿入することとしたが、精算ボタン（図示せず）を設け、複数の非磁性体商品を購入する場合には、全ての非磁性体商品の代金を精算処理した後、精算ボタンの押下を条件にカードを返却するものとしてもよい。
【００５７】
上述したように、レジスター１４で非磁性体商品の代金の精算処理を終了した後に、ゲート１５を通って自動販売機６を設置した領域、あるいは店舗外に出場しても、防犯ラベル７は無効化しているので、警報器５２が鳴動することはない。
【００５８】
一方、商品陳列棚２あるいはショーケース３から非磁性体製品を取り出した後に、レジスター１４で何等処理することなく、ゲート１５を通って自動販売機６を設置した領域、あるいは店舗外に出場しようとした場合には、防犯ラベル７を無効化していないので、ラベル検知センサ１５１が防犯ラベル７を検知して、警報器１５２が鳴動することになる。
【００５９】
上述した実施例２に係る店舗によれば、非磁性体商品の代金はレジスター１４で精算可能にする一方、磁性体商品を自動販売機６で販売可能にしたので、磁性体商品をも含めた多種多様な商品を販売できる。また、防犯ラベル７が磁性体であるから、万引き等の盗難被害を抑制しつつ、商品の販売コストを安価にできる。
【００６０】
また、上述した実施例１に係る店舗と同様に、レジスター１４と自動販売機６とがそれぞれＰＯＳシステム８に接続してあるので、レジスター１４で精算処理した非磁性体商品の情報、自動販売機６で販売した商品の情報はＰＯＳシステム８で管理され、在庫量、売れ筋商品を把握することができる。
【産業上の利用可能性】
【００６１】
以上のように、本発明に係る店舗は、非磁性体商品及び磁性体商品の両方の商品の販売に有用であり、特に、店員等の手を煩わさずに商品を販売する店舗に適している。
【図面の簡単な説明】
【００６２】
【図１】本発明の実施例１に係る店舗を示す模式図である。
【図２】図１に示したレジスターおよびゲートの処理を説明するフローチャートである。
【図３】本発明の実施例２に係る店舗を示す模式図である。
【図４】図３に示したレジスターおよびゲートの処理を説明するフローチャートである。
【符号の説明】
【００６３】
２    商品陳列棚
３    ショーケース
４    レジスター
４１    バーコードリーダ
４２    データベース
４３    ラベル失効器
４４    金銭処理機
４５    レシート発行機
４６    制御部
５    ゲート
５１    ラベル検知センサ
５２    警報器
５３    通行検知センサ
６    自動販売機
６１    制御部
７    防犯ラベル
８    ＰＯＳシステム
１４    レジスター
１４１    バーコードリーダ
１４２    データベース
１４３    ラベル失効器
１４４    カード処理機
１４５    レシート発行機
１４６    制御部
１５    ゲート
１５１    ラベル検知センサ
１５２    警報器
【図１】
2006072712.tif 000003
【図２】
2006072712.tif 000004
【図３】
2006072712.tif 000005
【図４】
2006072712.tif 000006